(57)【要約】 【課題】  記録用ヘッドの異常検出をテストデータを用いずに容易にすること。【解決手段】  記録用データに応じた書き込み電流を複数の電流源をスイッチにて交互に切り替えて所定周波数の電流を記録用ヘッドへ供給し、記録用ヘッドによって磁気記録媒体へ記録用データを書き込む。記録用データの書き込み終了後所定期間はスイッチを固定して電流源から記録用ヘッドへテスト電流としての直流電流を供給し、記録用ヘッドの電圧が閾値を超えたことを検出したとき、記録用ヘッドの異常を検出するようにした。そして、所定期間終了後は、記録用ヘッドへ供給する電流を停止する。【選択図】  図１
2007087486.tif 000002
【特許請求の範囲】
【請求項１】
磁気記録媒体へデータを書き込むための記録用ヘッドと、
前記データに応じた書き込み電流を前記記録用ヘッドへ供給する電流供給部と、
前記記録用ヘッドの異常を検出する記録用ヘッド異常検出部と、を備えた磁気記録回路であって、
前記電流供給部は、前記データの書き込み終了後所定期間、前記記録用ヘッドへテスト電流を供給すると共に、
前記記録用ヘッド異常検出部は、前記所定期間に前記記録用ヘッドの電圧が閾値を超えたことを検出することによって前記記録用ヘッドの異常を検出する磁気記録回路。
【請求項２】
前記電流供給部は、
複数の電流源と、
前記電流源ごとに設けられ、前記電流源の電流を前記記録用ヘッドに供給する複数のスイッチと、
前記磁気記録媒体へのデータの書き込みを行なうために、前記複数のスイッチを交互に切り替えて前記記録用ヘッドへ所定周波数の電流を供給する電流供給制御部と、を有し、
前記電流供給制御部は、
前記データの書き込みを行なうときには前記電流源及び前記スイッチを動作させて前記記録用ヘッドへ所定周波数の電流を供給し、前記データの書き込み終了後所定期間は前記スイッチを固定して前記記録用ヘッドへ前記テスト電流としての直流電流を供給し、前記所定期間経過後は前記電流源を不動作にする請求項１に記載の磁気記録回路。
【請求項３】
前記電流供給制御部は、
前記データの書き込み期間を規定するライト信号を遅延させる遅延回路と、
前記遅延回路から出力される信号と前記ライト信号との論理和の信号を出力する演算回路とを有し、
前記電流源は、前記論理和の信号に基づいて駆動する請求項２に記載の磁気記録回路。
【請求項４】
磁気記録媒体へデータの書き込み及び読み込みを行なう磁気記録装置であって、
前記磁気記録媒体へデータを書き込むための磁気記録回路を有し、
前記磁気記録回路は、
磁気記録媒体へデータを書き込むための記録用ヘッドと、
前記データに応じた書き込み電流を前記記録用ヘッドへ供給する書込み電流供給部と、
前記記録用ヘッドの異常を検出する記録用ヘッド異常検出部と、を備えた磁気記録回路であって、
前記電流供給部は、前記データの書き込み終了後所定期間、前記記録用ヘッドへテスト電流を供給すると共に、
前記記録用ヘッド異常検出部は、前記所定期間に前記記録用ヘッドの電圧が閾値を超えたことを検出することによって前記記録用ヘッドの異常を検出する磁気記録装置。
【請求項５】
前記磁気記録媒体に書き込まれたデータを再生するための再生用ヘッドを備え、
前記データの書き込み終了後前記所定期間内であっても、前記再生用ヘッドによって、前記磁気記録媒体に書き込まれたデータの再生を行なう請求項４に記載の磁気記録装置。
【発明の詳細な説明】
【技術分野】
【０００１】
本発明は、記録用ヘッドによって磁気記録媒体へデータの書き込みを行なう装置に係り、特に記録用ヘッドの故障を検出することができる磁気記録回路及び磁気記録装置に関する。
【背景技術】
【０００２】
従来から記録用ヘッドを用いて磁気記録媒体へデータの書き込みを行なうことができるハードディスクなどの磁気記録装置が広く用いられている。
【０００３】
この磁気記録装置は、記録用ヘッド、すなわちコイル巻線などを使用した誘導性ヘッドに電流を流すことにより磁界を発生させ、この磁界によって磁気記録媒体へデータの書き込みを行なうものである。
【０００４】
ところで、記録用ヘッドにおけるコイル巻線に断線（以下、「オープン異常」とする。）が発生すると、書き込み用の磁気を発生することができなくなり、その結果、磁気記録媒体への書き込みができなくなる。したがって、記録用ヘッドにおいてオープン異常を監視しておく必要があり、従来からこの種の記録装置においてはこのオープン異常の検出が行なわれている。
【０００５】
以下、従来の磁気記録装置における記録用ヘッドのオープン異常の検出方法について具体的に説明する。図４は従来の磁気記録装置における磁気記録回路の構成例を示す図であり、図５は磁気記録回路の動作時におけるタイミングチャートである。
【０００６】
図４に示すように、従来の磁気記録装置１００は、磁気記録媒体への記録用データの書き込みを行なう記録用ヘッド１０１と、電流源Ｉ１１及びＴｒ１０５〜Ｔｒ１０７によって電流源として機能するＴｒ１０１〜Ｔｒ１０４と、各電流源Ｔｒ１０１〜Ｔｒ１０４の電流を記録用ヘッド１０１へ供給するためのスイッチＳＷ１１〜ＳＷ１４とを有している。なお、図４中、Ｌ１１は、記録用ヘッド１０１のコイル巻線のインダクタンス成分であり、ＲＬ１１は、記録用ヘッド１０１のコイル巻線の抵抗成分である。また、記録用ヘッド１０１には、電圧源Ｖ１１からＲ１１及びＲ１２を介して電圧が印加される。
【０００７】
また、磁気記録装置１００は、オープン異常を検出するために、ＳＷ１５と、電圧比較器ＩＣ１１と、電圧源Ｖ１２とを有している。
【０００８】
ここで、記録用データを磁気記録媒体へ書き込むときには、図５に示すように、ＳＷ１１及びＳＷ１４とＳＷ１２及びＳＷ１３とを交互に短絡・開放することによって矩形波状のパルス電流Ｉ１２がＷＹ１，ＷＸ１間に接続された記録用ヘッド１０１へ供給され、記録用ヘッド１０１を介して磁気記録媒体への記録用データの書き込みが行なわれる。
【０００９】
そして、オープン異常の検出は、記録用データを磁気記録媒体へ書き込んでいる時に電圧比較器ＩＣ１１によって端子ＷＹ１の電圧を監視（ＳＷ１５はオン状態）することによって行なわれる。
【００１０】
ところが、記録用データの書き込みを開始したとき、或いはデータの変化点で、図５に示すように、過渡的な電圧（オーバーシュートやアンダーシュート）が発生するため、記録用データの周波数が高い場合には、記録用データを書き込んでいるときにオープン異常を検出するのは困難であった。
【００１１】
そこで、記録用データが一定期間存在しないと判定した場合にテストモードへ移行し、このテストモードにおいてテストデータを用いることにより、オープン異常を検出する磁気記録装置が提案されている（たとえば、特許文献１参照。）
【特許文献１】特開２００１−２１６６１６号公報
【発明の開示】
【発明が解決しようとする課題】
【００１２】
しかし、上記特許文献１の磁気記録装置では、記録用データが一定期間存在しないことを判定しなければならないため、オープン異常の検出処理に時間を要してしまう。特に、一定期間記録用データがないことが条件となるため、書き込みが一定時間の間隔を開けずに断続的に行なわれるような場合には、オープン異常の検出を行なうことができない。
【００１３】
しかも、テストビットの追加及びテスト工程の追加が必要となり、磁気記録装置の開発時あるいは製品検査時の負担となっていた。
【課題を解決するための手段】
【００１４】
そこで、請求項１に記載の発明は、磁気記録媒体へデータを書き込むための記録用ヘッドと、前記データに応じた書き込み電流を前記記録用ヘッドへ供給する電流供給部と、前記記録用ヘッドの異常を検出する記録用ヘッド異常検出部と、を備えた磁気記録回路であって、前記電流供給部は、前記データの書き込み終了後所定期間、前記記録用ヘッドへテスト電流を供給すると共に、前記記録用ヘッド異常検出部は、前記所定期間に前記記録用ヘッドの電圧が閾値を超えたことを検出することによって前記記録用ヘッドの異常を検出することをとした。
【００１５】
また、請求項２に記載の発明は、請求項１に記載の発明であって、前前記電流供給部は、複数の電流源と、前記電流源ごとに設けられ、前記電流源の電流を前記記録用ヘッドに供給する複数のスイッチと、前記磁気記録媒体へのデータの書き込みを行なうために、前記複数のスイッチを交互に切り替えて前記記録用ヘッドへ所定周波数の電流を供給する電流供給制御部と、を有し、前記電流供給制御部は、前記データの書き込みを行なうときには前記電流源及び前記スイッチを動作させて前記記録用ヘッドへ所定周波数の電流を供給し、前記データの書き込み終了後所定期間は前記スイッチを固定して前記記録用ヘッドへ前記テスト電流としての直流電流を供給し、前記所定期間経過後は前記電流源を不動作にすることとした。
【００１６】
また、請求項３に記載の発明は、請求項２に記載の発明であって、前記電流供給制御部は、前記データの書き込み期間を規定するライト信号を遅延させる遅延回路と、前記遅延回路から出力される信号と前記ライト信号との論理和の信号を出力する演算回路とを有し、前記電流源は、前記論理和の信号に基づいて駆動することとした。
【００１７】
また、請求項４に記載の発明は、磁気記録媒体へデータの書き込み及び読み込みを行なう磁気記録装置であって、前記磁気記録媒体へデータを書き込むための磁気記録回路を有し、前記磁気記録回路は、磁気記録媒体へデータを書き込むための記録用ヘッドと、前記データに応じた書き込み電流を前記記録用ヘッドへ供給する書込み電流供給部と、前記記録用ヘッドの異常を検出する記録用ヘッド異常検出部と、を備えた磁気記録回路であって、前記電流供給部は、前記データの書き込み終了後所定期間、前記記録用ヘッドへテスト電流を供給すると共に、前記記録用ヘッド異常検出部は、前記所定期間に前記記録用ヘッドの電圧が閾値を超えたことを検出することによって前記記録用ヘッドの異常を検出することとした。
【００１８】
また、請求項５に記載の発明は、請求項４に記載の発明であって、前記磁気記録媒体に書き込まれたデータを再生するための再生用ヘッドを備え、前記データの書き込み終了後前記所定期間内であっても、前記再生用ヘッドによって、前記磁気記録媒体に書き込まれたデータの再生を行なうこととした。
【発明の効果】
【００１９】
請求項１に記載の発明によれば、磁気記録媒体へデータを書き込むための記録用ヘッドと、前記データに応じた書き込み電流を前記記録用ヘッドへ供給する電流供給部と、前記記録用ヘッドの異常を検出する記録用ヘッド異常検出部と、を備えた磁気記録回路であって、前記電流供給部は、前記データの書き込み終了後所定期間、前記記録用ヘッドへテスト電流を供給すると共に、前記記録用ヘッド異常検出部は、前記所定期間に前記記録用ヘッドの電圧が閾値を超えたことを検出することによって前記記録用ヘッドの異常を検出するので、記録用データが一定期間存在しないときにオープン異常の検出を行なうのに比べ記録用ヘッドの異常検出を短時間で行なうことができる。また、テストビットなどの追加を必要とせず、製品開発時の負荷を低減することができる。
【００２０】
また、請求項２に記載の発明によれば、前記電流供給部は、複数の電流源と、前記電流源ごとに設けられ、前記電流源の電流を前記記録用ヘッドに供給する複数のスイッチと、前記磁気記録媒体へのデータの書き込みを行なうために、前記複数のスイッチを交互に切り替えて前記記録用ヘッドへ所定周波数の電流を供給する電流供給制御部と、を有し、前記電流供給制御部は、前記データの書き込みを行なうときには前記電流源及び前記スイッチを動作させて前記記録用ヘッドへ所定周波数の電流を供給し、前記データの書き込み終了後所定期間は前記スイッチを固定して前記記録用ヘッドへ前記テスト電流としての直流電流を供給し、前記所定期間経過後は前記電流源を不動作にするので、記録用ヘッドのオープン異常の検出のために記録用ヘッドへ供給するテスト電流の生成が容易となり、しかも、前記所定期間経過後は電流源を不動作にするので、オープン異常検出のために費やす電力も抑えることができる。
【００２１】
また、請求項３に記載の発明によれば、前記電流供給制御部は、前記データの書き込み期間を規定するライト信号を遅延させる遅延回路と、前記遅延回路から出力される信号と前記ライト信号との論理和の信号を出力する演算回路とを有し、前記電流源は、前記論理和の信号に基づいて駆動するので、複雑な回路を必要とせず、記録用ヘッドへテスト電流を供給することが可能となる。
【００２２】
また、請求項４に記載の発明によれば、磁気記録媒体へデータの書き込み及び読み込みを行なう磁気記録装置であって、前記磁気記録媒体へデータを書き込むための磁気記録回路を有し、前記磁気記録回路は、磁気記録媒体へデータを書き込むための記録用ヘッドと、前記データに応じた書き込み電流を前記記録用ヘッドへ供給する書込み電流供給部と、前記記録用ヘッドの異常を検出する記録用ヘッド異常検出部と、を備えた磁気記録回路であって、前記電流供給部は、前記データの書き込み終了後所定期間、前記記録用ヘッドへテスト電流を供給すると共に、前記記録用ヘッド異常検出部は、前記所定期間に前記記録用ヘッドの電圧が閾値を超えたことを検出することによって前記記録用ヘッドの異常を検出するので、記録用データが一定期間存在しないときにオープン異常の検出を行なうのに比べ記録用ヘッドの異常検出を短時間で行なうことができる。また、テストビットなどの追加を必要とせず、製品開発時の負荷を低減することができる。
【００２３】
また、請求項５に記載の発明によれば、前記磁気記録媒体に書き込まれたデータを再生するための再生用ヘッドを備え、前記データの書き込み終了後前記所定期間内であっても、前記再生用ヘッドによって、前記磁気記録媒体に書き込まれたデータの再生を行なうので、通常の動作時において、磁気記録媒体への記録用データの書込み後読み出し開始までに、記録用ヘッドのオープン異常の検出のための期間を特別に設けることなく、通常動作の妨げになることなく記録用ヘッドのオープン異常の検出が可能となる。
【発明を実施するための最良の形態】
【００２４】
本発明の実施形態における磁気記録回路及びそれを備えた磁気記録装置であって、磁気記録媒体へ記録用データを書き込むための記録用ヘッドと、記録用データに応じた書き込み電流を記録用ヘッドへ供給する電流供給部と、記録用ヘッドの異常を検出する記録用ヘッド異常検出部とを備えている。
【００２５】
しかも、電流供給部は、記録用データの書き込み終了後所定期間、記録用ヘッドへテスト電流を供給すると共に、記録用ヘッド異常検出部は、所定期間に記録用ヘッドの電圧が閾値を超えたことを検出したとき、記録用ヘッドの異常を検出するようにしている。
【００２６】
したがって、記録用データの書き込み終了後すぐに記録用ヘッドのオープン異常を検出することができる。
【００２７】
その結果、記録用データが一定期間存在しないときにオープン異常の検出を行なうのに比べ記録用ヘッドの異常検出を短時間で行なうことができる。また、製品開発時の負荷を低減することができる。
【００２８】
なお、磁気記録装置としては、ハードディスクなどのディスクドライブ装置がある。
【００２９】
ここで、テスト電流は、直流電流であることが望ましい。このようにすることにより、オープン異常検出用の電流制御が容易となると共に、記録媒体へ不要なデータが書き込まれることを防ぐことができる。このように直流電流を生成するために、本実施形態における磁気記録回路は以下の構成としている。
【００３０】
すなわち、電流供給部は、複数の電流源と、これらの電流源ごとに設けられ、電流源からの電流を記録用ヘッドに供給する複数のスイッチと、磁気記録媒体への記録用データの書き込みを行なうために、複数のスイッチを交互に切り替えて記録用ヘッドへ所定周波数の電流を供給する電流供給制御部とを有している。
【００３１】
しかも、電流供給制御部は、記録用データの書き込みを行なうときには電流源及びスイッチを動作させて記録用ヘッドへ所定周波数の電流を供給し、記録用データの書き込み終了後所定期間はスイッチを固定して記録用ヘッドへテスト電流としての直流電流を供給し、所定期間経過後は電流源を不動作にするようにしている。
【００３２】
したがって、記録用ヘッドのオープン異常の検出のために記録用ヘッドへ供給する直流電流の生成が容易となり、しかも、所定期間経過後は電流源を不動作にするので、オープン異常検出のために費やす電力も抑えることができる。
【００３３】
また、電流供給制御部は、記録用データの書き込み期間を規定するライト信号を遅延させる遅延回路と、遅延回路から出力される信号とライト信号との論理和の信号を出力する演算回路とを有している。
【００３４】
しかも、電流源は、論理和の信号に基づいて駆動する。また、複数のスイッチは記録用データの書き込み期間中は交互に切り替えられて記録用ヘッドへ所定周波数の電流を供給し、記録用データの書き込み期間が終了すると複数のスイッチは固定される。
【００３５】
その結果、遅延回路と演算回路とによって、ライト信号を遅延回路で遅延させた時間だけ電流源を動作させることができると共に、ライト信号終了後は、スイッチの駆動を停止して書き込み終了後のスイッチの固定状態を発生させることができる。
【００３６】
また、本実施形態における磁気記録装置は、磁気記録媒体に書き込まれたデータを再生するための再生用ヘッドを備えており、記録用データの書き込み終了後前記所定期間内であっても、再生用ヘッドによって磁気記録媒体に書き込まれたデータの再生を開始するようにしている。
【００３７】
したがって、通常の動作時において、磁気記録媒体への記録用データの書込み後すぐに読み出しを行なうことができる。したがって、記録用ヘッドのオープン異常の検出のための期間を特別に設けることなく、通常動作の妨げになることなく記録用ヘッドのオープン異常の検出が可能となる。
【００３８】
また、記録用ヘッド異常検出部は、記録用ヘッドに印加されている電圧と所定の閾値電圧とを比較する比較回路を有しており、磁気記録ヘッドの電圧が所定の閾値を超えたか否かを検出する。
【００３９】
そして、比較回路からの出力は、フリップフロップ（以下、「ＦＦ回路」ともいう。）へ入力される。このＦＦ回路は、後述の遅延回路からの信号に基づき、比較回路からの出力信号を出力する。
【００４０】
ここで、ライト信号を遅延させる遅延回路は、少なくとも第１遅延回路と第２遅延回路から構成されており、第１遅延回路はライト信号を入力すると共にライト信号を第１遅延時間分遅延させて第２遅延回路へ出力し、第２遅延回路は第１遅延回路で遅延された信号を第２遅延時間分遅延させて演算回路へ出力する。
【００４１】
そして、第１遅延回路からの出力は、ＦＦ回路へ入力され、記録用ヘッドのオープン異常検出の結果がＦＦ回路から出力される。
【００４２】
このように、複数の遅延回路及びＦＦ回路を設けることにより、記録用データの書き込み期間終了後一定期間内に記録用ヘッドのオープン異常検出が容易になる。すなわち、ライト信号の遅延期間内にＦＦ回路を駆動させることが容易になる。
【００４３】
以下、図面を参照して、本実施形態における磁気記録回路及びそれを備えた磁気記録装置についてさらに具体的に説明する。
【００４４】
まず、磁気記録装置１の構成について図１を参照して具体的に説明する。なお、本実施形態における磁気記録装置１として、磁気ディスクなどの磁気記録媒体２へのデータの記録及び再生を行うことができるハードディスクドライブ装置を例に以下説明する。
【００４５】
図１に示すように、磁気記録装置１は、磁気記録媒体２への記録用データを書き込むための記録用ヘッド３と、磁気記録媒体２へ書き込まれたデータを読み込んで再生するための再生用ヘッド４とを有している。この記録用ヘッド３及び再生用ヘッド４は、コイル巻線を使用した誘導性ヘッドであり、この誘導性ヘッドによる磁界の発生及び検出する。
【００４６】
また、磁気記録装置１は、記録用ヘッド３を制御して磁気記録媒体２へ記録用データの書き込みを行う磁気記録回路２０と、再生用ヘッド４を制御して磁気記録媒体２に書き込まれたデータを読み込んで再生する磁気再生回路３０とを有する記録再生回路１０を備えている。
【００４７】
さらに、磁気記録装置１は、外部装置から磁気記録媒体２への記録用データを受信すると共に、磁気記録媒体２から再生された再生データを外部装置へ送信するための通信部としてのＩ／Ｆ回路５０と、磁気記録媒体２を回転させるスピンドルモータ５と、このスピンドルモータ５をサーボ制御すると共に、記録用ヘッド３及び再生用ヘッド４のサーボ制御をも行うサーボ回路４０と、磁気記録装置１全体を制御するためのメイン制御部としてのシステムコントローラ６０とを有している。
【００４８】
このように構成された磁気記録装置１は、外部装置からＩ／Ｆ回路５０を介して、磁気記録媒体２への書き込み要求を受信すると、システムコントローラ６０によって、記録再生回路１０への記録用データの書き込み準備を開始する。そして、磁気記録回路２０は、外部装置から入力される記録用データに所定の処理をおこなって書き込み信号を生成し、このように生成した書き込み信号に応じた供給電流を記録用ヘッド３へ供給する。
【００４９】
また、外部装置から磁気記録媒体２に書き込まれたデータの再生要求があると、システムコントローラ６０は、磁気再生回路３０を制御して、再生用ヘッド４により磁気記録媒体２に書き込まれたデータを読み込む。そして、このように読み込んだデータは、磁気再生回路３０からＩ／Ｆ回路５０を介して外部装置へ出力される。
【００５０】
次に、本発明の特徴部分である磁気記録回路２０の構成及び動作を、図面を参照して具体的に説明する。図２は本実施形態における磁気記録回路２０の具体的構成を示す図であり、図３は本実施形態における磁気記録回路２０の動作時におけるタイミングチャートである。
【００５１】
図２に示すように、磁気記録回路２０は、磁気記録媒体２へ記録用データを書き込むための記録用ヘッド３と、記録用データに応じた書き込み用供給電流やテスト電流を記録用ヘッド３へ供給する電流供給部２１と、記録用ヘッド３の電圧を検出する記録用ヘッド異常検出部２３とを備えている。
【００５２】
記録用ヘッド３は、上述のようにコイル巻線などを使用した誘導性ヘッドであり、Ｌ１はそのコイル巻線のインダクタンス成分であり、ＲＬ１はそのコイル巻線の抵抗成分である。
【００５３】
電流供給部２１は、電流源としてのトランジスタＴｒ１〜Ｔｒ４と、これらの電流源Ｔｒ１〜Ｔｒ４から記録用ヘッド３へ電流供給するためのスイッチＳＷ１〜ＳＷ４とを有しており、これらは電流供給制御部の一部を構成する制御部２２によって制御される。
【００５４】
すなわち、トランジスタＴｒ１及びＴｒ３のドレインは、記録用ヘッド３の一端ＷＹに接続され、トランジスタＴｒ２及びＴｒ４のドレインは、記録用ヘッド３の他端ＷＸに接続されている。また、スイッチＳＷ１はその一端がＶｃｃに、他端がトランジスタＴｒ１のソースに接続され、スイッチＳＷ２はその一端がＶｃｃに、他端がトランジスタＴｒ２のソースに接続される。さらに、スイッチＳＷ３はその一端がＶｅｅに、他端がトランジスタＴｒ３のソースに接続され、スイッチＳＷ４はその一端がＶｅｅに、他端がトランジスタＴｒ４のソースに接続される。
【００５５】
そして、制御部２２は、ＳＷ１及びＳＷ４を短絡すると共に、ＳＷ２及びＳＷ３を開放することにより、電流源たるトランジスタＴｒ１からの電流Ｉ３を、記録用ヘッド３を通して、電流源たるトランジスタＴｒ４へ電流Ｉ４として流し込む。これにより端子ＷＹから端子ＷＸへの方向にテスト電流が流れる。
【００５６】
また、制御部２２は、ＳＷ２及びＳＷ３を短絡すると共に、ＳＷ１及びＳＷ４を開放することにより、電流源たるトランジスタＴｒ２からの電流を、記録用ヘッド３を通して電流源たるトランジスタＴｒ３へ流し込む。これにより端子ＷＸから端子ＷＹへの方向にテスト電流が流れる。
【００５７】
このように、制御部２２は、スイッチＳＷ１〜ＳＷ４を制御することによって、記録用ヘッド３への電流を供給する電流の方向を交互に切り替えることによって、記録用ヘッド３へ所定周波数の電流を供給することができ、これにより記録用ヘッド３から磁気記録媒体２へ記録用データを書き込むための磁気を発生させることができる。
【００５８】
ところで、電流供給部２１は、トランジスタＴｒ１〜Ｔｒ４を電流源として動作させるために、トランジスタＴｒ５〜Ｔｒ１１及び定電流源ＩＡを有している。
【００５９】
トランジスタＴｒ５のゲート及びドレインは、トランジスタＴｒ１のゲート及びトランジスタＴｒ２のゲートとの間に接続されており、トランジスタＴｒ５は、トランジスタＴｒ１との間及びトランジスタＴｒ２との間で、それぞれカレントミラー回路を構成している。なお、トランジスタＴｒ５のソースはＶｃｃに接続され、そのドレインはトランジスタＴｒ６のドレインに接続されている。
【００６０】
また、トランジスタＴｒ７のゲート及びドレインは、トランジスタＴｒ３のゲートとの間、トランジスタＴｒ４のゲートとの間及びトランジスタＴｒ６のゲートとの間に接続されており、トランジスタＴｒ７は、トランジスタＴｒ３との間、トランジスタＴｒ４との間及びトランジスタＴｒ６の間で、それぞれカレントミラー回路を構成している。
【００６１】
さらに、トランジスタＴｒ８及びＴｒ１０のソースはＶｃｃに接続され、そのドレインはそれぞれトランジスタＴｒ９及びＴｒ１１のソースに接続されている。また、トランジスタＴｒ８のゲートはトランジスタＴｒ１０のゲート及びドレインに接続され、トランジスタＴｒ９のゲートはトランジスタＴｒ１１のゲート及びドレインに接続されており、トランジスタＴｒ８とトランジスタＴｒ１０とにより、またトランジスタＴｒ９とトランジスタＴｒ１１とによりそれぞれミラー回路が構成される。
【００６２】
そして、トランジスタＴｒ９のドレインは、トランジスタＴｒ７のドレイン及びゲートに接続され、トランジスタＴｒ１１のドレインは定電流Ｉａを流すことができる定電流源ＩＡに接続されている。
【００６３】
このようにトランジスタＴｒ１〜Ｔｒ１１及び定電流源ＩＡが接続されていることから、トランジスタＴｒ５〜１１のソース−ドレイン間には同一の電流Ｉａが流れる。また、スイッチＳＷ１及びＳＷ４が短絡されたときには、トランジスタＴｒ１及びＴｒ４に電流Ｉａが流れ、スイッチＳＷ２及びＳＷ３が短絡されたときには、トランジスタＴｒ２及びＴｒ３に電流Ｉａが流れる。
【００６４】
さらに、電流供給部２１には、トランジスタＴｒ１〜Ｔｒ４の電流源として動作を制御することができるトランジスタＴｒ１２を有しており、このトランジスタＴｒ１２は、そのソースがＶｃｃに接続され、そのドレインがトランジスタＴｒ１１のドレイン及びゲートに接続されている。
【００６５】
したがって、トランジスタＴｒ１２のゲートに印加電圧に応じて、トランジスタＴｒ１〜４を個別に電流源として動作させたり、不動作にしたりすることができる。
【００６６】
さらに、電流供給部２１には、トランジスタＴｒ１２のゲートに入力する電圧を制御するための電流供給制御部の一部としての電流源制御部を有しており、この電流源制御部は、第１遅延回路ＩＣ２と、第２遅延回路ＩＣ３と、第２遅延回路ＩＣ３から出力される信号とライト信号との論理和の信号を出力する演算回路としてのＮＯＲ回路ＩＣ１と、インバータ回路ＩＣ４を有している。
【００６７】
第１遅延回路ＩＣ２は、記録用データの書き込み期間を規定するライト信号を第１遅延時間分だけ遅延させた信号を第２遅延回路ＩＣ３へ入力すると共に、インバータ回路ＩＣ４を介して記録用ヘッド異常検出部２３へ入力する。
【００６８】
また、第２遅延回路ＩＣ３は、第１遅延回路ＩＣ２から出力される信号をさらに第２遅延時間分だけ遅延させた信号をＮＯＲ回路ＩＣ１の入力へ出力する。
【００６９】
このように、ＮＯＲ回路ＩＣ１の入力には、ライト信号及びこのライト信号を第１及び第２遅延時間（以下、「所定遅延時間」とする。）分だけ遅延させた信号が入力される。したがって、ＮＯＲ回路ＩＣ１の出力は、ライト信号が所定遅延時間だけ延びた信号であって、その信号の電圧が反転した信号がトランジスタＴｒ１２のゲートに入力される。
【００７０】
その結果、ライト信号が制御部２２から出力されている期間から所定遅延時間だけ延びた期間（＝ライト信号出力期間＋第１遅延時間＋第２遅延時間）、トランジスタＴｒ１〜Ｔｒ４が電流源として動作する。なお、本実施形態においては、第１遅延時間及び第２遅延時間はそれぞれ同一のものとし、その時間はＴ１／２であるものとする。
【００７１】
このように、ライト信号とトランジスタＴｒ１２との間に遅延回路ＩＣ２，ＩＣ３及び演算回路ＩＣ１とを設けるといった簡単な構成により、ライト期間終了後所定期間にトランジスタＴｒ１〜Ｔｒ４を電流源として動作させることが可能となる。
【００７２】
また、第１遅延回路ＩＣ２の出力は、後述のように記録用ヘッド異常検出部２３の動作クロックとして入力されることから、上述のライト信号終了後所定遅延時間内に記録用ヘッド３の電圧検出を確実に行うことができる。
【００７３】
ここで、制御部２２は、Ｉ／Ｆ回路５０から出力される記録用データと、システムコントローラ６０から出力される制御信号によって、磁気記録媒体２への書き込み信号Ｃ−ＳＷ１〜Ｃ−ＳＷ４、リード信号及びライト信号などを生成する。なお、この制御部２２は、磁気記録回路２０のみならず磁気再生回路３０の一部をも構成するものである。また、この制御部２２の機能をシステムコントローラ６０に実行するようにしてもよく、この場合にはシステムコントローラ６０はその一部が電流供給制御部に含まれることになる。
【００７４】
また、記録用ヘッド異常検出部２３は、比較回路ＩＣ５及びフリップフロップ回路ＩＣ６（以下、「ＦＦ回路ＩＣ６」とする。）を有している。
【００７５】
比較回路ＩＣ５は、記録用ヘッド３の電圧と閾値電圧Ｖ２との電圧比較を行って、記録用ヘッド３の電圧が閾値電圧Ｖ２よりも低いときには比較回路ＩＣ５からＬｏｗレベルの信号が出力され、高いときには比較回路ＩＣ５からＨｉｇｈレベルの信号が出力される。
【００７６】
したがって、第１遅延回路ＩＣ２から出力される信号がＨｉｇｈレベルからＬｏｗレベルに遷移したとき、そのときに比較回路ＩＣ５に入力されていた信号が比較回路ＩＣ５の出力から出力される。
【００７７】
つぎに、このように構成された磁気記録装置１における記録用ヘッド３の異常検出動作について説明する。
【００７８】
図３に示すように、磁気記録回路２０は、磁気記録媒体２への記録用データの書き込みを行うときには、制御部２２からライト信号（リードライト信号Ｒ／Ｗ信号がＨｉｇｈレベルの状態）を出力することによりトランジスタＴｒ１２をオンにしてトランジスタＴｒ１〜Ｔｒ４を電流源として動作させると共に、ＳＷ１及びＳＷ４とＳＷ２及びＳＷ３とを交互に短絡・開放を繰り返して、記録用ヘッド３に所定周波数の書き込み電流Ｉａを流す（図３中Ｔａまでの期間）。
【００７９】
次に、磁気記録回路２０は、磁気記録媒体２への記録用データの書き込みを終了し、磁気記録媒体２に書き込まれたデータを再生するために、制御部２２からのライト信号の出力を停止し、制御部２２からリード信号（リードライト信号Ｒ／Ｗ信号がＬｏｗベルの状態）を出力する。このようにライト信号の出力が停止しても遅延回路ＩＣ２，ＩＣ３による遅延によりＮＯＲ回路ＩＣ１の出力は、ライト信号出力停止後所定期間Ｔ１においては、Ｌｏｗ状態を保ち、それによりトランジスタＴｒ１〜Ｔｒ４は電流源としての動作を維持する。
【００８０】
ここで、磁気記録媒体２への記録用データの書き込みを終了すると、スイッチＳＷ１〜ＳＷ４の切り替えも終了し、制御部２２は、スイッチＳＷ１及びＳＷ４を短絡状態に、そしてスイッチＳＷ２及びＳＷ３を開放状態にして、リード信号の出力を停止する。
【００８１】
したがって、リード信号の出力の停止から所定期間Ｔ１（図３中Ｔａ〜Ｔｃの期間）は、記録用ヘッド３にテスト電流としての直流電流Ｉ３が流れることになり、この期間に記録用ヘッド異常検出部２３によって、記録用ヘッド３の異常検出が行われる。
【００８２】
そして、記録用ヘッド３に異常がない場合には、記録用ヘッド３の端子ＷＹの電圧が閾値電圧Ｖ２よりも小さくなり（ＲＬ１×Ｉ３）、記録用ヘッド３がオープンになる異常がある場合には、端子ＷＹの電圧が閾値電圧Ｖ２よりも大きくなる（Ｒ１×Ｉ３）。
【００８３】
この記録用ヘッド３の異常検出は、第１遅延回路ＩＣ２の出力がＨｉｇｈレベルからＬｏｗレベルになったとき、インバータ回路ＩＣ４からの出力がＨｉｇｈレベルに切り替わる。これにより、ＦＦ回路ＩＣ６のｃｌｋがＨｉｇｈレベルとなり、このときの比較回路ＩＣ５の出力がＤＦＣＴ信号として出力される。
【００８４】
ここで、本実施形態においては、上述のように第１遅延回路ＩＣ２の第１遅延時間と第２遅延回路ＩＣ３による第２遅延時間は同様にしているが、これに限られない。すなわち、端子ＷＹに電流Ｉ３を流した後、端子ＷＹの電圧が安定する時間を第1遅延時間として設定し、第２の遅延時間は記録用ヘッド３の異常検出に支障がない程度に第１遅延時間よりも短く設定することができ、このように設定することにより所定期間Ｔ１も可及的に短くすることが可能となる。
【００８５】
一方、磁気記録媒体２への記録データの書き込みが終了し、磁気記録媒体２に書き込まれたデータの読み込みが開始される（図３中Ｔａ）と、システムコントローラ６０は、磁気再生回路３０を動作させ、磁気記録媒体２に書き込まれたデータを再生し、Ｉ／Ｆ回路５０を通じて外部装置へ再生したデータを出力する（図３中Ｔａ〜Ｔｄの期間）。
【００８６】
このように、記録用データの書き込み終了後前記所定期間Ｔ１内であっても、再生用ヘッド４によって、磁気記録媒体２に書き込まれたデータの再生を開始することができる。すなわち、磁気記録媒体２への記録処理後、すぐに再生処理を行うことができ、通常の記録再生動作時間に影響を与えることなく、記録用ヘッド３の異常検出が可能となる。
【００８７】
磁気記録媒体２に書き込まれたデータの再生が終了すると、さらに磁気記録媒体２への書き込み動作が行われる（図３中Ｔｄ以降）。なお、この書き込み動作は、上述と同様である。
【００８８】
以上のように、本実施形態における磁気記録装置によれば、記録用データの書き込み終了後すぐに記録用ヘッドの異常を検出することができ、したがって、記録用データが一定期間存在しないときにオープン異常の検出を行なうのに比べ記録用ヘッドの異常検出を短時間で行なうことができる。
【００８９】
しかも、電流供給制御部は、記録用データの書き込みを行なうときには電流源及びスイッチを動作させて記録用ヘッドへ所定周波数の電流を供給し、記録用データの書き込み終了後所定期間はスイッチを固定して記録用ヘッドへテスト電流を供給し、所定期間経過後は電流源を不動作にするようにしている。
【００９０】
したがって、記録用ヘッドのオープン異常の検出のために記録用ヘッドへ供給する直流電流の生成が容易となり、しかも、所定期間経過後は電流源を不動作にするので、オープン異常検出のために費やす電力も抑えることができる。
【図面の簡単な説明】
【００９１】
【図１】本発明の一実施形態における磁気記録装置の概略構成図。
【図２】本実施形態における磁気記録回路の具体的構成を示す図。
【図３】本実施形態における磁気記録回路の動作時におけるタイミングチャート。
【図４】従来の磁気記録装置における磁気記録回路の構成例を示す図。
【図５】図４における磁気記録回路の動作時におけるタイミングチャート。
【符号の説明】
【００９２】
１  磁気記録装置
２  磁気記録媒体
３  記録用ヘッド
４  再生用ヘッド
１０  記録再生回路
２０  磁気記録回路
３０  磁気再生回路
５０  Ｉ／Ｆ回路
６０  システムコントローラ
【図１】
2007087486.tif 000003
【図２】
2007087486.tif 000004
【図３】
2007087486.tif 000005
【図４】
2007087486.tif 000006
【図５】
2007087486.tif 000007